(57)【要約】【課題】レンズを保護するレンズバリアを備え、レンズバリアを変位させてカメラ操作を実行する。【解決手段】第１の筐体１０と第２の筐体２０を第３の筐体３０を介して連結する。第１の筐体１０と第３の筐体３０は、長穴２３、３３により第２の筐体に対してスライド移動可能に構成されている。また第１の筐体１０は第３の筐体３０に対してスティックスイッチ３１を中心に回動移動可能に構成されている。スティックスイッチ３１は、回動移動後に元の位置に自動復帰可能に構成されている。撮影レンズ２５は、第１の筐体と第３の筐体がスライド移動することにより、覆われた状態から露出される状態となる。撮影レンズ２５が覆われた状態及び露出された状態において、スティックスイッチ３１に回動を検出し、カメラ操作を行う。【選択図】  図３
2009111878.tif 000002
【特許請求の範囲】
【請求項１】
第１の筐体と第２の筐体とで構成された携帯機器であって、
前記第１の筐体と第２の筐体とをスライド自在に連結する連結手段であって、前記第１の筐体を同一平面内の第１の位置と第２の位置との間でスライド移動させる第１の動作が可能に連結するとともに、前記第１の位置及び第２の位置の少なくとも１つの位置を基準位置にして、前記第１の筐体を前記同一平面内で所定の軸を中心として回動移動させる第２の動作が可能に連結する連結手段と、
少なくとも前記第１の筐体の第２の動作に基づいて前記携帯機器への指示を入力する指示入力手段と、
を備えたことを特徴とする携帯機器。
【請求項２】
前記連結手段は、前記第２の動作の回動移動後に前記基準位置に自己復帰可能に連結することを特徴とする請求項１に記載の携帯機器。
【請求項３】
前記連結手段は、前記第１の位置及び前記第２の位置において、前記第１の筐体及び第２の筐体を所定の保持力で停止させる手段を備えたことを特徴とする請求項１又は２に記載の携帯機器。
【請求項４】
前記第１の筐体が前記第１の位置及び前記第２の位置のいずれの位置であるかを検出する位置検出手段を備え、前記指示入力手段は、前記位置検出手段の検出結果に基づいて前記携帯機器への指示を入力することを特徴とする請求項１から３のいずれかに記載の携帯機器。
【請求項５】
前記第２の動作の回動方向を検出する手段を備え、前記指示入力手段は、検出した回動方向に基づいて前記携帯機器への指示を入力することを特徴とする請求項１から４のいずれかに記載の携帯機器。
【請求項６】
前記第２の動作の回動量を検出する手段を備え、前記指示入力手段は、検出した回動量に基づいて前記携帯機器への指示を入力することを特徴とする請求項５に記載の携帯機器。
【請求項７】
前記指示入力手段は、検出した回動量に応じて動作する機能の速度を変更するように前記携帯機器への指示を入力することを特徴とする請求項６に記載の携帯機器。
【請求項８】
前記指示入力手段は、検出した回動量に応じて動作する機能を変更するように前記携帯機器への指示を入力することを特徴とする請求項６に記載の携帯機器。
【請求項９】
請求項１から８のいずれかに記載の携帯機器において、
前記第２の筐体に撮影レンズを備え、前記撮影レンズは前記第１の位置において前記第１の筐体により覆われるとともに、前記第２の位置において露出されることを特徴とする撮像装置。
【請求項１０】
前記第１の筐体が前記第１の位置及び前記第２の位置のいずれの位置であるかを検出する位置検出手段を備え、前記指示入力手段は、前記第１の位置であると検出された場合は画像の再生に関する指示を、前記第２の位置であると検出された場合は画像の撮影に関する指示を入力することを特徴とする請求項９に記載の撮像装置。
【請求項１１】
前記第１の筐体が前記第１の位置及び前記第２の位置のいずれの位置であるかを検出する位置検出手段を備え、前記第１の位置であると検出された場合は前記撮像装置に供給する電源を遮断することを特徴とする請求項９に記載の撮像装置。
【発明の詳細な説明】
【技術分野】
【０００１】
本発明は携帯機器及び撮像装置に係り、特に２つの筐体がスライド可能に連結された携帯機器及び撮像装置に関する。
【背景技術】
【０００２】
カメラを使用しないときにレンズの前面を覆い、カメラを使用するときにレンズの前面を開放してレンズを使用可能にするレンズバリアを備えたカメラが知られている。このレンズバリアは、レンズを保護する役割とともに、カメラの電源のＯＮ／ＯＦＦを制御するスイッチとしての役割を果たすことが多い。レンズバリアにさらに他の機能を持たせたものとして、特許文献１には、レンズバリアであるレンズ保護部材を複数の位置へ移動可能とし、それぞれの位置に応じて操作部に異なる機能を割り当てるカメラが記載されている。この技術によれば、レンズバリアの位置に応じて１つの操作部に複数の機能を割り当てることができ、部品点数の増加を抑えることが可能となる。
【０００３】
また、特許文献２には、レンズバリアの前面主要部が外側バリア部材として着脱可能に構成されており、この外側バリア部材がカメラ本体を遠隔操作するためのリモートコントローラとして機能するカメラが記載されている。このように構成することで、カメラの不使用時にはレンズを保護し、カメラ使用時にはリモコンとして使用することができる。また、カメラ携行中におけるリモコンの紛失防止をはかることができる。
【特許文献１】特開２００７−３３９９６号公報
【特許文献２】特開２００２−９０８６３号公報
【発明の開示】
【発明が解決しようとする課題】
【０００４】
レンズバリアの本来の目的は不使用時にレンズを保護することであり、レンズバリアは、レンズを保護する位置と、レンズを露出させて使用させる位置のいずれか一方の位置で停止されることが望ましい。このように構成することで、カメラを使用後に、レンズバリアを現在とは逆の位置に移動させるだけでレンズを保護することが可能となる。
【０００５】
しかしながら、特許文献１のようにレンズバリアを複数の位置に移動可能にした場合は、レンズバリアがどの位置で停止したのかを目視して確認することが必要となってしまう。また、１つの操作部に複数の機能を割り当てると、部品点数は少なくて済むが、レンズバリアがどの位置の場合にどの機能が割り当てられているのかがユーザにとってはわかりにくく、煩わしいという問題もあった。
【０００６】
また、特許文献２のカメラにおいては、レンズバリアの前面主要部が外側バリア部材として着脱可能となっているために、カメラの不使用時に外側バリア部材が外れて適切にレンズを保護することができない可能性があるという欠点があった。
【０００７】
本発明はこのような事情に鑑みてなされたもので、不使用時にレンズを保護すると共に、使用時にレンズバリア等の筐体を変位させてカメラ操作を実行することができる携帯機器及び撮像装置を提供することを目的とする。
【課題を解決するための手段】
【０００８】
前記目的を達成するために請求項１に記載の携帯機器は、第１の筐体と第２の筐体とで構成された携帯機器であって、前記第１の筐体と第２の筐体とをスライド自在に連結する連結手段であって、前記第１の筐体を同一平面内の第１の位置と第２の位置との間でスライド移動させる第１の動作が可能に連結するとともに、前記第１の位置及び第２の位置の少なくとも１つの位置を基準位置にして、前記第１の筐体を前記同一平面内で所定の軸を中心として回動移動させる第２の動作が可能に連結する連結手段と、少なくとも前記第１の筐体の第２の動作に基づいて前記携帯機器への指示を入力する指示入力手段とを備えたことを特徴とする。
【０００９】
これにより、操作しやすい携帯機器を提供することができる。
【００１０】
請求項２に示すように請求項１に記載の携帯機器において、前記連結手段は、前記第２の動作の回動移動後に前記基準位置に自己復帰可能に連結することを特徴とする。
【００１１】
これにより、操作しやすい携帯機器を提供することができる。
【００１２】
請求項３に示すように請求項１又は２に記載の携帯機器において、前記連結手段は、前記第１の位置及び前記第２の位置において、前記第１の筐体及び第２の筐体を所定の保持力で停止させる手段を備えたことを特徴とする。
【００１３】
これにより、それぞれの位置において操作しやすい携帯機器を提供することができる。
【００１４】
請求項４に示すように請求項１から３のいずれかに記載の携帯機器において、前記第１の筐体が前記第１の位置及び前記第２の位置のいずれの位置であるかを検出する位置検出手段を備え、前記指示入力手段は、前記位置検出手段の検出結果に基づいて前記携帯機器への指示を入力することを特徴とする。
【００１５】
これにより、それぞれの位置において異なる機能を割り当てることができる。
【００１６】
請求項５に示すように請求項１から４のいずれかに記載の携帯機器において、前記第２の動作の回動方向を検出する手段を備え、前記指示入力手段は、検出した回動方向に基づいて前記携帯機器への指示を入力することを特徴とする。
【００１７】
これにより、異なる回動方向において異なる機能を割り当てることができる。
【００１８】
請求項６に示すように請求項５に記載の携帯機器において、前記第２の動作の回動量を検出する手段を備え、前記指示入力手段は、検出した回動量に基づいて前記携帯機器への指示を入力することを特徴とする。
【００１９】
これにより、回動量によって異なる機能を割り当てることができる。
【００２０】
請求項７に示すように請求項６に記載の携帯機器において、前記指示入力手段は、検出した回動量に応じて動作する機能の速度を変更するように前記携帯機器への指示を入力することを特徴とする。
【００２１】
これにより、回動量によって機能の動作速度を変更することができる。
【００２２】
請求項８に示すように請求項６に記載の携帯機器において、前記指示入力手段は、検出した回動量に応じて動作する機能を変更するように前記携帯機器への指示を入力することを特徴とする。
【００２３】
これにより、回動量によって異なる機能を割り振ることができる。
【００２４】
前記目的を達成するために請求項９に記載の撮像装置は請求項１から８のいずれかに記載の携帯機器において、前記第２の筐体に撮影レンズを備え、前記撮影レンズは前記第１の位置において前記第１の筐体により覆われるとともに、前記第２の位置において露出されることを特徴とする。
【００２５】
これにより、撮影レンズを保護することができる。
【００２６】
請求項１０に示すように請求項９に記載の撮像装置において、前記第１の筐体が前記第１の位置及び前記第２の位置のいずれの位置であるかを検出する位置検出手段を備え、前記指示入力手段は、前記第１の位置であると検出された場合は画像の再生に関する指示を、前記第２の位置であると検出された場合は画像の撮影に関する指示を入力することを特徴とする。
【００２７】
これにより、撮影を行わないモードにおいてはレンズを保護し、さらに画像の再生に関する操作を行うことができる。
【００２８】
請求項１１に示すように請求項９に記載の撮像装置において、前記第１の筐体が前記第１の位置及び前記第２の位置のいずれの位置であるかを検出する位置検出手段を備え、前記第１の位置であると検出された場合は前記撮像装置に供給する電源を遮断することを特徴とする。
【００２９】
これにより、電源供給を遮断している場合に、撮影レンズを保護することができる。
【発明の効果】
【００３０】
本発明によれば、不使用時にレンズ等の部品を保護すると共に、レンズバリア等の筐体を動かすことによりカメラ操作等の様々な操作を実行することができる。
【発明を実施するための最良の形態】
【００３１】
以下、添付図面に従って本発明に係る携帯機器を実施するための最良の形態について詳細に説明する。
【００３２】
＜第１の実施の形態＞
図１、図２は本発明に係る第１の実施の形態のデジタルカメラ１の外観図であり、（ａ）は正面図であり、（ｂ）は側面図であり、（ｃ）は背面図である。図１は、第１の筐体１０、第２の筐体２０及び第３の筐体３０のシルエットが重ねあわされた第１の位置にある場合を示し、図２は、第１の筐体１０、第２の筐体２０及び第３の筐体３０が第１の位置から平行に移動された第２の位置にある場合を示す。図３は、デジタルカメラ１の要部を分解した斜視図である。
【００３３】
デジタルカメラ１は、主として、第１の筐体１０、第２の筐体２０及び第３の筐体３０とで構成される。図１に示すように、第１の位置は操作部が露出されない収納状態である。図２に示すように、第２の位置は、第２の筐体２０の前面側に配設された撮影レンズ２５と、第３の筐体３０の前面側に配設された操作部３５とが露出された使用状態であり、撮影等が可能である。
【００３４】
第１の筐体１０は、略矩形の板状の部材であり、レンズバリアとして使用される。第１の筐体１０の背面側には、第３の筐体３０に固着されたスティックスイッチ３１を取り付ける取り付け部１１（詳細は後述）が配設される。取り付け部１１を介してスティックスイッチ３１を第１の筐体１０に取り付けることにより、第１の筐体１０と第３の筐体３０とが一体となるように組み立てられる。
【００３５】
第２の筐体２０は、第１の筐体１０とほぼ同じ大きさの略直方体の部材であり、図１、図２に示すように、背面には主としてモニタ２１が配設される。また、第２の筐体２０の前面には、図３に示すように、主として、ボス２２、長穴２３、プッシュスイッチ２４、撮影レンズ２５、フレキシブルプリント基板２６等が配設される。
【００３６】
第３の筐体３０は、第１の筐体１０及び第２の筐体２０より小さい略矩形の板状の部材であり、図３に示すように、前面には主としてスティックスイッチ３１が配設され、背面には、主として、ボス３２、長穴３３が配設される。
【００３７】
モニタ２１は、カラー表示が可能な液晶ディスプレイで構成されている。このモニタ２１は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００３８】
プッシュスイッチ２４は、先端が押されることによりＯＮされるスイッチである。
【００３９】
撮影レンズ２５は、屈曲式のズームレンズで構成される。
【００４０】
フレキシブルプリント基板２６は、その一端は、第２の筐体２０の内部に配設された基板等（図示せず）に接続され、他端は、第３の筐体３０の内部に配設された基板等（図示せず）に接続される。
【００４１】
スティックスイッチ３１は、図３に示すように、先端が略球状に形成されたスティック３１ａと、スティック３１ａの動きを検出するスイッチ部３１ｂとで構成され、スティック３１ａは時計回り及び反時計回りに回動操作が可能である。また、スイッチ部３１ｂは、スティック３１ａの回動操作及び回動方向を検出可能である。スティックスイッチ３１は、通常はスティック３１ａが中心位置に位置するように構成される。スティック３１ａは、回動操作により各方向にそれぞれ約４５度程度回動が可能であり、そこで停止される。回動操作後外力が除去されると、スティック３１ａが自動的に中心位置に戻るように構成される。
【００４２】
［第１の位置及び第２の位置の間の移動について］
第１の筐体１０及び第３の筐体３０と、第２の筐体２０とを移動可能に連結する連結機構について説明する。図４は、第１の筐体１０、第２の筐体２０及び第３の筐体３０が第１の位置にある場合の連結機構の様子を第１の筐体１０の前面側から透視した図であり、図５は、第１の筐体１０、第２の筐体２０及び第３の筐体３０が第２の位置にある場合の連結機構の様子を第１の筐体１０の前面側から透視した図である。
【００４３】
まず、連結機構の構成について説明する。連結機構は、図３に示すように、第２の筐体２０に配設されたボス２２、長穴２３及びプッシュスイッチ２４と、第３の筐体に配設されたボス３２及び長穴３３と、バネ４１とで構成される。
【００４４】
ボス２２、３２は、バネ４１の両端が回転自在に挿入され、ボス２２は長穴３３の内部を摺動可能であり、ボス３２は長穴３３の内部を摺動可能である。
【００４５】
長穴２３、３３は、ボス２２、３２がそれぞれ勘合可能なように、その穴径はボス２２、３２の直径より大きくなっている。
【００４６】
プッシュスイッチ２４は、長穴３３の左端に配設されており、ボス３２が当接することにより第１の筐体１０、第２の筐体２０及び第３の筐体３０が第１の位置及び第２の位置のどちらの位置にあるかを検出する。
【００４７】
バネ４１は、巻き戻し方向の力を付勢するコイルバネであり、その両端は丸形状が形成される。バネ４１の一端はボス２２に回転自在に挿入され、もう一端はボス３２に回転自在に挿入される。
【００４８】
バネ４１の両端をボス２２及びボス３２に挿入した後で、ボス２２を長穴３３に挿入すると共に、ボス３２を長穴２３に挿入する。その後、ボス２２が長穴３３から抜けないように、ボス２２の先端にピン、ネジ等（図示せず）を取り付け、ボス３２が長穴２３から抜けないように、ボス２２の先端にピン、ネジ等（図示せず）を取り付ける。これにより、第１の筐体１０及び第３の筐体３０と、第２の筐体２０とが移動可能に連結される。
【００４９】
次に、第１の筐体１０、第２の筐体２０及び第３の筐体３０を第１の位置と第２の位置との間で移動させる方法について説明する。
【００５０】
第１の位置においては、図４に示すように、ボス２２は長穴３３の左端に位置し、ボス３２は長穴２３の右端に位置する。バネ４１により第１の筐体１０及び第３の筐体３０は前面から見て右方向の力が付勢される。しかしながら、ボス２２は長穴３３の左端に位置することにより、第１の筐体１０及び第３の筐体３０は、右方向に移動できない。このように、第１の筐体１０及び第３の筐体３０は第１の位置で固定される。
【００５１】
第１の位置において、第１の筐体１０及び第３の筐体３０をバネ４１の付勢力に抗して左に移動させると、ボス２２が長穴３３の内部を左方向に摺動し、ボス３２が長穴２３の内部を左方向に摺動することにより、第１の筐体１０及び第３の筐体３０は、第２の筐体２０の面上を平行に左側に移動し、第１の筐体１０、第２の筐体２０及び第３の筐体３０は第１の位置から第２の位置へと移動する。
【００５２】
第２の位置においては、図５に示すように、ボス２２は長穴３３の右端に位置し、ボス３２は長穴２３の左端に位置する。バネ４１により第１の筐体１０及び第３の筐体３０は前面から見て左方向の力が付勢される。しかしながら、ボス２２は長穴３３の右端に位置することにより、第１の筐体１０及び第３の筐体３０は、左方向に移動できない。このように、第１の筐体１０及び第３の筐体３０は第２の位置で固定される。
【００５３】
また、第２の位置においては、ボス３２によりプッシュスイッチ２４がＯＮされることにより、第１の筐体１０、第２の筐体２０及び第３の筐体３０が第２の位置にあることが検出される。
【００５４】
第２の位置において、第１の筐体１０及び第３の筐体３０をバネ４１の付勢力に抗して右に移動させると、ボス２２が長穴３３の内部を右方向に摺動し、ボス３２が長穴２３の内部を右方向に摺動することにより、第１の筐体１０及び第３の筐体３０は、第２の筐体２０の面上を平行に右側に移動し、第１の筐体１０、第２の筐体２０及び第３の筐体３０第２の位置から第１の位置へと戻る。
［第１の筐体１０の操作について］
第１の筐体１０は、第１の位置及び第２の位置において、時計回り及び反時計回りの回動操作が可能である。以下、第２の位置を例に第１の筐体１０の構造及び操作について説明する。図６（ａ）は、第１の筐体１０の背面に形成された取り付け部１１にスティックスイッチ３１を取り付けた状態を示す断面図であり、（ｂ）は取り付け部１１の斜視図である。
【００５５】
スティック３１ａの先端の略球状の部分は、図６（ａ）に示すように、取り付け部１１に取り付けた時の回転を防止するために、上から見て略Ｄ形状となるように加工される。
【００５６】
取り付け部１１は、図６（ｂ）に示すように、弾力性を有する４本の爪で形成される。４本の爪により形成される内部空間は、図６（ａ）に示すように、スティック３１ａの先端と嵌合するように、スティック３１ａの先端の略球状の部分と同様に略Ｄ形状に形成される。
【００５７】
取り付け部１１をスティック３１ａの先端の上に乗せ、第１の筐体１０の上方から外力を加えることにより、取り付け部１１の４本の爪がたわみ、取り付け部１１とスティック３１ａの先端とが嵌合される。これにより、スティックスイッチ３１を介して第１の筐体１０と第３の筐体３０とが取り付けられ、第１の筐体１０及び第３の筐体３０は一体となって第１の位置と第２の位置との間を移動する。
【００５８】
それと同時に、第１の筐体１０に外力を加えることでスティックスイッチ３１の時計回り及び反時計回りの回動操作が可能となる。以下、第１の筐体１０の操作方法について説明する。図７（ａ）は、スティック３１ａが時計回りに回動された状態を示し、図７（ｂ）はスティック３１ａが反時計回りの回動された状態を示す。
【００５９】
第１の筐体１０に時計回りの外力を加えると、図７（ａ）に示すように、スティック３１ａがスティック３１ａを中心に時計回りに回動される。その後、第１の筐体１０に加えた時計回りの外力を除去すると、スティック３１ａが自動的に中央位置に戻るのに伴い、第１の筐体１０も第１の筐体１０と第３の筐体３０とが重ねあわされた通常状態に戻る。
【００６０】
なお、第３の筐体３０は、第１の筐体１０より小さく形成されているため、回動操作による第１の筐体１０の移動が行われても、第３の筐体３０は視認されない。
［内部構成について］
図２５は、上記デジタルカメラ１の内部構成の実施の形態を示すブロック図である。
【００６１】
同図に示すように、本実施の形態のデジタルカメラ１は、ＣＰＵ１１１、操作部３５、ズームレンズ用モータドライバ１１３、フォーカスレンズ用モータドライバ１１４、手振れ補正制御部１０９、ズームレンズ１１５、フォーカスレンズ１１６、手ぶれ補正レンズ１１０、ＣＣＤ１１７、Ａ／Ｄ変換器１１８、画像入力コントローラ１１９、画像信号処理回路１２０、圧縮伸張処理回路１２１、表示回路１２２、モニタ２１、メディアコントローラ１２５、記録メディア１２６、メモリ１２７、ＡＥ／ＡＦ検出回路１２８、顔検出回路１０８、ストロボ１２９、赤外線通信回路１３０、プッシュスイッチ２４、スティックスイッチ３１等を備えて構成される。
【００６２】
各部はＣＰＵ１１１に制御されて動作し、ＣＰＵ１１１は、操作部３５からの入力に基づき所定の制御プログラムを実行することにより、デジタルカメラ１の各部を制御する。
【００６３】
ＣＰＵ１１１はプログラムＲＯＭを内蔵しており、このプログラムＲＯＭには、ＣＰＵ１１１が実行する制御プログラムのほか、制御に必要な各種データ等が記録されている。ＣＰＵ１１１は、この制御プログラムを逐次実行することにより、デジタルカメラ１の各部を制御する。
【００６４】
操作部３５は、電源ボタン５３、図示しないシャッタボタン等を含み、操作に応じた信号をＣＰＵ１１１に出力する。
【００６５】
撮影レンズ２５は、ズームレンズ１１５、フォーカスレンズ１１６、及び手振れ補正レンズ１１０を含んで構成されている。
【００６６】
ズームレンズ１１５は、ズームレンズ用モータドライバ１１３により駆動され、フォーカスレンズ１１６の光軸上を前後移動する。ＣＰＵ１１１は、ズームレンズ用モータドライバ１１３を介してズームレンズ用モータの駆動を制御することにより、ズームレンズ１１５の移動を制御し、ズーミングを行う。
【００６７】
フォーカスレンズ１１６は、フォーカスレンズ用モータドライバ１１４により駆動され、ズームレンズ１１５の光軸上を前後移動する。ＣＰＵ１１１は、フォーカスレンズ用モータドライバ１１４を介して図示しないフォーカスレンズ用モータの駆動を制御することにより、フォーカスレンズ１１６の移動を制御し、フォーカシングを行う。
【００６８】
手振れ補正レンズ１１０は、手ぶれ補正制御部１０９により制御される。手振れ補正制御部１０９は、デジタルカメラ１の振れをジャイロセンサにより検出し、手振れ補正レンズ１１０を振れと反対方向に移動させることにより、ズームレンズ１１５、及びフォーカスレンズ１１６を介した被写体像の手振れを補正する。
【００６９】
ＣＣＤ１１７は、手振れ補正レンズ１１０の後段に配置されており、ズームレンズ１１５、フォーカスレンズ１１６、及び補正レンズ１１０を透過した被写体光を受光する。ＣＣＤ１１７は、周知のように多数の受光素子がマトリクス状に配列された受光面を備えている。ズームレンズ１１５及びフォーカスレンズ１１６を透過した被写体光は、このＣＣＤ１１７の受光面上に結像され、各受光素子によって電気信号に変換される。
【００７０】
このＣＣＤ１１７は、垂直転送クロック及び水平転送クロックに同期して、各画素に蓄積された電荷を１ラインずつシリアルな画像信号として出力する。
【００７１】
前述したように、画像信号の出力は、デジタルカメラ１が撮影モードにセットされると開始され、モニタ２１にスルー画像が表示される。このスルー画像用の画像信号の出力は、本撮影の指示が行われると、一旦停止され、本撮影が終了すると、再度開始される。
【００７２】
またＣＰＵ１１１は、本撮影時に必要であれば、ストロボ１２９を撮影補助光として発光させる。
【００７３】
ＣＣＤ１１７から出力される画像信号は、アナログ信号であり、このアナログの画像信号は、Ａ／Ｄ変換器１１８に取り込まれる。
【００７４】
Ａ／Ｄ変換器１１８は、相関二重サンプリング回路（ＣＤＳ）、自動ゲインコントロール回路（ＡＧＣ）を含んで構成される。ＣＤＳは、画像信号に含まれるノイズの除去を行い、ＡＧＣは、ノイズ除去された画像信号を所定のゲインで増幅する。Ａ／Ｄ変換器１１８は、さらにアナログの画像信号を所定ビットの階調幅を持ったデジタルの画像信号に変換する。この画像信号は、いわゆるＲＡＷデータであり、画素ごとＲ、Ｇ、Ｂの濃度を示す階調値を有している。
【００７５】
画像入力コントローラ１１９は、所定容量のラインバッファを内蔵しており、Ａ／Ｄ変換器１１８から出力された１コマ分の画像信号を蓄積する。この画像入力コントローラ１１９に蓄積された１コマ分の画像信号は、バス１２４を介してメモリ１２７に格納される。
【００７６】
バス１２４には、上記ＣＰＵ１１１、画像入力コントローラ１１９、メモリ１２７のほか、画像信号処理回路１２０、圧縮伸張処理回路１２１、表示回路１２２、メディアコントローラ１２５、ＡＥ／ＡＦ検出回路１２８、ストロボ１２９、赤外線通信回路１３０等が接続されており、これらはバス１２４を介して互いに情報を送受信できるようにされている。
【００７７】
メモリ１２７に格納された１コマ分の画像信号は、点順次（画素の順番）に画像信号処理回路１２０に取り込まれる。
【００７８】
画像信号処理回路１２０は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００７９】
ＡＥ／ＡＦ検出回路１２８は、ＣＰＵ１１１の指令に従い、画像入力コントローラ１１９を介してメモリ１２７に格納されたＲ、Ｇ、Ｂの画像信号を取り込み、ＡＦ（Automatic Focus）制御に必要な焦点評価値を算出する。このＡＥ／ＡＦ検出回路１２８は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ１１１に出力する。ＣＰＵ１１１は、ＡＦ制御時、このＡＥ／ＡＦ検出回路１２８から出力される焦点評価値が極大となる位置をサーチし、その位置にフォーカスレンズ１１６を移動させることにより、主要被写体への焦点合わせを行う。
【００８０】
またＡＥ／ＡＦ検出回路１２８は、ＣＰＵ１１１の指令に従い、画像入力コントローラ１１９を介してメモリ１２７に格納されたＲ、Ｇ、Ｂの画像信号を取り込み、ＡＥ制御に必要な積算値を算出する。すなわち、このＡＥ／ＡＦ検出回路１２８は、撮影領域（一画面）を複数の領域に分割し、分割領域ごとにＲ、Ｇ、Ｂごとの画像信号の積算値を算出する。算出された各分割領域におけるＲ、Ｇ、Ｂごとの積算値の情報はメモリ１２７に格納される。
【００８１】
ＣＰＵ１１１は、ＡＥ／ＡＦ検出回路１２８が算出した積算値から露出値を算出し、この露出値に基づいて露出設定を行う。露出設定は、所定のプログラム線図に従って絞り値、シャッタ速度を決定する。
【００８２】
顔検出回路１０８は、メモリ１２７に格納された画像信号から、人物の顔領域を検出する。この顔領域の検出は、まず検出を行う画像について、解像度の異なるようリサイズ画像を所定数用意する。次に、各リサイズ画像全体から、あらかじめ用意していた所定サイズの複数の顔の画像データの中から１つ以上マッチングする領域を抽出する。抽出された領域の個数が最大であるリサイズ画像を選択し、選択したリサイズ画像内の抽出領域をリサイズ前の画像に対応した大きさに拡大・縮小し、それにより得られた領域を被写体の顔として特定する。最後に、検出した顔領域の数、座標及びサイズを出力する。
【００８３】
圧縮伸張処理回路１２１は、ＣＰＵ１１１からの圧縮指令に従い、入力された輝度信号Ｙと色差信号Ｃｒ、Ｃｂとからなる画像信号（Ｙ／Ｃ信号）に所定形式（たとえば、ＪＰＥＧ）の圧縮処理を施し、圧縮画像データを生成する。また、ＣＰＵ１１１からの伸張指令に従い、入力された圧縮画像データに所定形式の伸張処理を施して、非圧縮の画像データを生成する。
【００８４】
表示回路１２２は、ＣＰＵ１１１からの指令に従い、モニタ２１への表示を制御する。すなわち、ＣＰＵ１１１からの指令に従い、メモリ１２７から順次入力される画像信号をモニタ２１に表示するための映像信号（たとえば、ＮＴＳＣ信号やＰＡＬ信号、ＳＣＡＭ信号）に変換してモニタ２１に出力する。また、必要に応じてモニタ２１に表示する文字、図形、記号等の信号を画像信号に混合して、モニタ２１に所定の文字、図形、記号等を表示させる。
【００８５】
メディアコントローラ１２５は、ＣＰＵ１１１からの指令に従い、記録メディア１２６に対してデータの読み／書きを制御する。なお、記録メディア１２６は、メモリカードのようにカメラ本体に対して着脱自在なものでもよいし、また、カメラ本体に内蔵されたものでもよい。着脱自在とする場合は、カメラ本体にカードスロットを設け、このカードスロットに装填して使用する。
【００８６】
赤外線通信回路１３０は、ＣＰＵ１１１からの指令に従い、外部機器と赤外線を利用した通信を行なう。赤外線通信回路１３０は、送信するデータを変調し、発光部１３２から変調したデータを外部機器へと送る。また、外部機器から送信されたデータを受光部１３１によって受信し、この受信した信号の復調を行う。
【００８７】
プッシュスイッチ２４は、前述したように、デジタルカメラ１の第１の位置と第２の位置の検出を行う。プッシュスイッチ２４からは、ＯＮ／ＯＦＦに応じた信号が出力され、ＣＰＵ１１１は、この出力信号を解析することにより、第１の位置及び第２の位置を検出することが可能となる。
【００８８】
また、スティックスイッチ３１は、第１の筐体１０の回動操作を検出する。スティックスイッチ３１からは回動操作の方向に応じた信号が出力され、ＣＰＵ１１１は、この出力信号を解析することにより、回動操作の方向を認識することが可能となる。
【００８９】
［作用について］
次に、以上のように構成された本実施の形態のデジタルカメラ１の作用について説明する。デジタルカメラ１は、電源ボタン５３を操作することにより電源が投入され、動作が可能となる。電源がオンされた状態で、デジタルカメラ１を第１の位置にすると再生モードが選択され、第２の位置にすると撮影モードが選択される。ここで、ユーザがそれぞれの位置において第１の筐体１０に外力を加えてスティックスイッチ３１の時計回り及び反時計回りの回動操作をすることにより、カメラ機能の操作を行なうことが可能となっている。なお、以後第１の筐体１０に外力を加えてスティックスイッチ３１の時計回り及び反時計回りの回動操作を行うことを、第１の筐体１０のスウィング操作と呼ぶ。図３２は、デジタルカメラ１を、第１の位置において背面から見て反時計回りにスウィング操作した様子を示す外観図である。
【００９０】
次に、本実施の形態のデジタルカメラ１の動作について、図２６のフローチャートを用いて説明する。
【００９１】
電源ボタン５３がオンされ、デジタルカメラ１の電源が投入されると、最初に、プッシュスイッチ２４がオンされているか否かの判定を行う（ステップＳ１）。プッシュスイッチ２４がオンされていると判定すると、ＣＰＵ１１１は、デジタルカメラ１が第２の位置であると判断し、撮影モードに設定する（ステップＳ２）。プッシュスイッチ２４がオフされていると判定すると、ＣＰＵ１１１は、デジタルカメラ１が第１の位置であると判断し、再生モードに設定する（ステップＳ８）。このように、プッシュスイッチ２４の状態に応じて動作モードを切り替える。
【００９２】
まず、再生モードでの動作について説明する。
【００９３】
再生モードに設定されると、記録メディア１２６に記録されている最終コマの画像ファイルがメディアコントローラ１２５を介して読み出される。この読み出された画像ファイルの圧縮データは、圧縮伸張処理回路７０を介して非圧縮のＹＣ信号に伸張される。
【００９４】
伸張されたＹＣ信号は、表示回路１２２によって表示用の信号形式に変換されてモニタ２１に出力される。これにより、モニタ２１には記録メディア１２６に記録されている最終コマの画像が表示される。
【００９５】
この状態において、ユーザが第１の筐体１０を背面から見て時計回りにスウィング操作すると、スティックスイッチ３１のスティック３１ａが背面から見て時計回りに回動し、スイッチ部３１ｂはスティック３１ａが背面から見て時計回りに回動したことを検出する。これにより、スティックスイッチ３１は、背面から見て時計回りに回動したことに応じた信号を出力する。ＣＰＵ１１１は、このスティックスイッチ３１の出力信号を解析し、背面から見て時計回りのスウィング操作がされたことを検出する（ステップＳ３）。さらに、この検出結果に基づいて、画像信号処理回路１２０を用いてモニタ２１に表示されている画像について、順方向にコマ送りを行う（ステップＳ４）。コマ送りされたコマ位置の画像ファイルが記録メディア１２６から読み出され、上記と同様にして画像がモニタ２１に再生される。
【００９６】
また、ユーザが第１の筐体１０を背面から見て反時計回りにスウィング操作すると、スティックスイッチ３１のスティック３１ａが背面から見て反時計回りに回動し、スイッチ部３１ｂはスティック３１ａが背面から見て反時計回りに回動したことを検出する。これにより、スティックスイッチ３１は、背面から見て反時計回りに回動したことに応じた信号を出力する。ＣＰＵ１１１は、このスティックスイッチ３１の出力信号を解析し、背面から見て反時計回りのスウィング操作がされたことを検出する（ステップＳ５）。さらに、この検出結果に基づいて、画像信号処理回路１２０を用いてモニタ２１に表示されている画像について、逆方向にコマ送りを行う（ステップＳ６）。コマ送りされたコマ位置の画像ファイルが記録メディア１２６から読み出され、画像がモニタ２１に再生される。
【００９７】
この状態で図示しない確定キーを用いて表示されている画像を選択することにより、選択された画像を赤外線通信により送信することが可能となっている。
【００９８】
次に、撮影モードでの動作について説明する。
【００９９】
前述のように、撮影モードに設定されるとモニタ２１にスルー画像が表示される。この状態において、ユーザが第１の筐体１０を背面から見て時計回りにスウィング操作すると、スティックスイッチ３１が背面から見て時計回りに回動し、この回動に応じた信号を出力する。ＣＰＵ１１１は、このスティックスイッチ３１の出力信号を検出し（ステップＳ９）、ズームレンズ用モータドライバ１１３を介してズームレンズ１１５を駆動し、ワイド側へズーム動作を行う（ステップＳ１０）。
【０１００】
また、ユーザが第１の筐体１０を背面から見て反時計回りにスウィング操作すると、スティックスイッチ３１が背面から見て反時計回りに回動し（ステップＳ１１）、この回動に応じた信号を出力する。ＣＰＵ１１１は、このスティックスイッチ３１の出力信号を検出し、ズームレンズ用モータドライバ１１３を介してズームレンズ１１５を駆動し、テレ側へズーム動作を行う（ステップＳ１２）。
【０１０１】
この状態で図示しないシャッタボタンを用いて、所望のズーム倍率による撮影が可能となっている。
【０１０２】
スウィング操作の機能の割り振りは、この実施の形態に限定されず、どの機能を割り当ててもよい。例えば、再生モードにおいて、時計回りのスウィング操作を順方向のコマ送り、反時計回りのスウィング操作を赤外線送信、のように割り当ててもよい。
【０１０３】
本実施の形態では、第１の筐体をスウィング操作した後に第１の筐体１０に加えた外力を除去すると、スティック３１ａが自動的に中央位置に戻るのに伴い、第１の筐体１０も第１の筐体１０と第３の筐体３０とが重ねあわされた通常状態に戻ったが、このように自動で復帰させずに、手動で元の位置に戻すように構成してもよい。このように構成することでスウィング操作後にスウィングした状態を保持することができるので、例えば再生モードにおいてコマ送りする場合に、連続コマ送りが容易になる。
【０１０４】
また、本実施の形態においては、第１の筐体１０を前面から見て左方向に平行移動させることで、第１の位置から第２の位置へと移動させたが、平行移動の方向は左に限らず、右、上、下、斜めなどの方向でもよい。例えば、図２３は、第１の筐体１０を前面から見て斜め左下方向に平行移動する例を示す外観図である。また、図２４（ａ）は、第１の筐体１０を前面から見て下方向に平行移動する例を示す外観図であり、図２４（ｂ）は、図２４（ａ）の状態から第１の筐体１０をスウィング操作した例を示す外観図である。図２４においては、操作部としてキーボード３５’を露出させることで、携帯型パーソナルコンピュータやゲーム機などとして使用することもできる。
【０１０５】
また、スティックスイッチ３１をボリュームスイッチとし、スウィング操作のスウィング角度、即ちスティックスイッチ３１の回動角度に応じた電流量を出力させるように構成し、電流量に応じて機能の動作速度を変更してもよい。
【０１０６】
図２７に、スティックスイッチ３１をボリュームスイッチとし、回動角度に応じた電流量を出力させる回路図の一例を示す。スティックスイッチ３１は、回動角度に応じて抵抗値が変化するように構成されている。この可変抵抗の両端に定電圧源１５２を接続し、さらに電流計１５１を直列に接続する。スティックスイッチ３１が回動操作されると、抵抗値が変化し、電流計１５１を流れる電流量が変化する。図２８は、スウィング角度と電流量の関係を示した図である。
【０１０７】
図２８（ａ）に示すように、スティックスイッチ３１の時計回りの回動可能角度を０〜Ｄとする。ここで、角度Ｃから角度Ｄまでのスウィング操作においてワイドズーム動作を行う場合に、角度Ｄに近づけるほどズーミングのスピードを速くする。また逆に、スティックスイッチ３１の反時計回りの回動可能角度を０〜Ａとする。ここで、角度Ｂから角度Ａまでのスウィング操作においてテレズーム動作を行う場合に、ズーミングのスピードを角度Ａに近づけるほど速くする。ＣＰＵ１１１は、入力される電流量に応じて、ズーミングのスピードを制御する。その他の例として、再生する画像のコマ送りを行う場合に、スウィング操作を角度Ｄに近づけるほどコマ送りの速度を速くしてもよい。
【０１０８】
このように、電流量をＣＰＵ１１１で検出することにより、スウィング操作の回動角度に応じて機能の動作速度を変更することが可能となる。
【０１０９】
また、図２８（ｂ）に示すように、スウィング操作のスウィング角度、即ち電流量により異なる機能を割り当ててもよい。同図の場合は、時計回りに少量だけ回動させたＧの領域、時計回りに大きく回動させたＨの領域、反時計回りに微小に回動させたＦの領域、及び反時計回りに大きく回動させたＥの領域に分割している。ＣＰＵ１１１が検出した電流量に応じて領域の判別を行うことにより、例えば再生モードにおいて、Ｆの領域の場合は逆方向コマ送り、Ｇの領域の場合は正方向コマ送り、Ｈの領域の場合は赤外線送信、Ｅの領域の場合は画像データ表示、等のように機能を割り当てることが可能となる。
【０１１０】
また、本実施の形態においては、第１の筐体１０をスウィング操作して、スティックスイッチ３１の出力信号に応じて各種設定を行い、設定に従って各モードの動作の制御を行うが、第１の筐体１０をスウィング操作した後で、第１の筐体１０を奥行き方向に押し込む（プッシュ操作）ことにより各種設定を決定し、決定された設定に従って各モードの動作の制御を行うようにしてもよい。当該動作は、スティック３１ａが押し込まれたことをスイッチ部３１ｂが検出可能なスティックスイッチ３１を用いることにより可能となる。なお、スティックスイッチ３１は、プッシュ操作後外力が除去されると、スティック３１ａが自動的に基準位置に戻るように構成される。
【０１１１】
また、スティックスイッチ３１を、回動方向だけでなく、例えば上下左右の４方向の方向分解能を持った可倒式スイッチとすることで、スウィング操作に加えて、さらに４方向の移動（シフト操作）を検出させてもよい。この場合、スティックスイッチ３１は、シフト操作後外力が除去されると、スティック３１ａが自動的に基準位置に戻るように構成されることが望ましい。
【０１１２】
＜第２の実施の形態＞
第１の実施の形態は、スティックスイッチ３１を用いて、第１の筐体１０の時計回り及び反時計回りの回動操作及び検出を行ったが、回動操作及び検出を行う方法はこれに限らない。
【０１１３】
第２の実施の形態は、ヒンジ及びバネを用いて回動操作を可能にする形態である。図８は、本発明に係る第２の実施の形態のデジタルカメラ２の要部を分解した斜視図である。なお、第１の実施の形態と同一の部分については、同一の符号を付し、説明を省略する。また、第１の位置及び第２の位置の間の移動については、第１の実施の形態と同一であるため、説明を省略する。
【０１１４】
デジタルカメラ２は、主として、第１の筐体１０と、第２の筐体２０と、第３の筐体３０とで構成される。第２の筐体２０については、第１の実施の形態と同一であるため、説明を省略する。
【０１１５】
第１の筐体１０は、略矩形の板状の部材であり、レンズバリアとして使用される。第１の筐体１０の背面側には、ボス１２と、円弧状の長穴１３と、軸１４とが配設される。
【０１１６】
第３の筐体３０は、第１の筐体１０と同じ又はそれより小さい略矩形の板状の部材であり、図３に示すように、前面には、主として、ボス３４、ボリュームコントロールスイッチ２７、プッシュスイッチ３６、３７とが配設され、背面には、主として、ボス３２、長穴３３が配設される。
【０１１７】
ボリュームコントロールスイッチ２７は、回動量を検出するためのスイッチである。
【０１１８】
［第１の筐体１０の操作について］
第１の筐体１０は、第１の位置及び第２の位置において、時計回り及び反時計回りの回動操作が可能である。以下、第１の位置を例に第１の筐体１０の構造及び操作について説明する。図９〜図１１は、デジタルカメラ２の要部を前面から見た透視図であり、図９は第１の筐体１０と第３の筐体３０とが重ねあわされた通常状態を示し、図１０は、第１の筐体１０を通常状態から時計回りに回動させた状態を示し、図１１は第１の筐体を通常状態から反時計回りに回動させた状態を示す。
【０１１９】
まず、第１の筐体１０と第３の筐体３０とを回動可能に連結する連結機構について説明する。連結機構は、主として、図８に示すように、第１の筐体１０に配設されたボス１２、長穴１３及び軸１４と、第３の筐体に配設されたボス３４、ボリュームコントロールスイッチ２７と、バネ４２とで構成される。
【０１２０】
ボス１２は、バネ４２の一端が固定される。
【０１２１】
長穴１３は、ボス３４が勘合可能なように、その穴径はボス３４の直径より大きくなっている。
【０１２２】
軸１４は、ボリュームコントロールスイッチ２７に嵌入される。これにより、ボリュームコントロールスイッチ２７は軸１４の回動方向及び回動量を検出することができる。
【０１２３】
バネ４２は、引っ張り方向の力を付勢するコイルバネである。バネ４２の一端はボス１２に配設され、もう一端はボス３４に配設される。
【０１２４】
軸１４をボリュームコントロールスイッチ２７に嵌入すると共に、ボス３４を長穴１３に挿入する。長穴１３に挿入されたボス３４の先端にバネ４２を固着し、バネ４２のもう一端をボス１２の先端に固着する。なお、ボス３４の先端には、バネ４２の一端を固着するのと同時に、抜け止め用のピン、ネジ等（図示せず）を取り付ける。これにより、第１の筐体１０及び第３の筐体３０が回動可能に連結される。
【０１２５】
図９に示す通常状態においては、バネ４２により、ボス３４が長穴１３の中央に位置するような力、すなわち第１の筐体１０が時計回り及び反時計回りに回動しないように保持する力が付勢される。これにより、第１の筐体１０が通常状態に保持される。
【０１２６】
次に、第１の筐体１０の操作方法について説明する。バネ４２の付勢力に抗して、第１の筐体１０に時計回りの外力を加えると、図１０に示すように、第１の筐体１０が軸１４を中心に時計回りに回動され、ボス３４が長穴１３の内部を反時計回りに摺動する。第１の筐体１０が所定の角度だけ回動されると、第１の筐体１０の背面に配設されたピン（図示せず）がプッシュスイッチ３６を押すことにより、プッシュスイッチ３６がＯＮされる。これにより、第１の筐体１０が時計回りに回動したことが検出される。それと同時に、ボリュームコントロールスイッチ２７が軸１４の回動量を検出する。
【０１２７】
その後、第１の筐体１０に加えた時計回りの外力を除去すると、バネ４２の引っ張り力により、ボス３４が長穴１３の内部を中央位置に向かって時計回りに摺動する。それにより、第１の筐体１０が、図９に示す通常状態に自動的に戻される。
【０１２８】
バネ４２の付勢力に抗して、第１の筐体１０に反時計回りの外力を加えると、図１１に示すように、第１の筐体１０が軸１４を中心に反時計回りに回動され、ボス３４が長穴１３の内部を時計回りに摺動する。第１の筐体１０が所定の角度だけ回動されると、第１の筐体１０の背面に配設されたピン（図示せず）がプッシュスイッチ３７を押すことにより、プッシュスイッチ３７がＯＮされる。これにより、第１の筐体１０が反時計回りに回動したことが検出される。それと同時に、ボリュームコントロールスイッチ２７が軸１４の回動量を検出する。
【０１２９】
その後、第１の筐体１０に加えた反時計回りの外力を除去すると、バネ４２の引っ張り力により、ボス３４が長穴１３の内部を中央位置に向かって反時計回りに摺動する。それにより、第１の筐体１０が、図９に示す通常状態に自動的に戻される。
【０１３０】
次に、本実施の形態のデジタルカメラ１の作用について説明する。
【０１３１】
図２９は、上記デジタルカメラ１の内部構成の実施の形態を示すブロック図である。図２５に示すブロック図とは、スティックスイッチ３１の代わりにボリュームコントロールスイッチ２７を備え、さらにプッシュスイッチ３６、３７を備えたところが異なる。
【０１３２】
ボリュームコントロールスイッチ２７、プッシュスイッチ３６、及び３７は、動作に応じた信号を出力し、さらにこの出力信号はＣＰＵに入力されて検出される。従って、前述したとおり、ボリュームコントロールスイッチ２７によりスウィング操作の回動量を検出することができ、プッシュスイッチ３６、３７によりスウィング方向を検出することが可能である。さらに第１の実施の形態と同様に、プッシュスイッチ２４により、第１の位置及び第２の位置を検出可能である。これらの検出結果から、図２６に示す動作を行うことが可能となる。さらに、図２８に示すように回動方向及び回動量によって機能を割り当てることも可能となる。
【０１３３】
なお、本実施の形態では、ボリュームコントロールスイッチ２７及びプッシュスイッチ３６、３７により第１の筐体１０の回動量及び回動方向を検出したが、第１の筐体１０の回動方向のみを検出して機能を切り替えるようにしてもよい。連結機構は、図１３に示すように、主として、第１の筐体１０に配設されたボス１２及び軸１４と、第３の筐体に配設された軸受３８とで構成される。軸１４を軸受３８に軸支することで、第１の筐体１０が第３の筐体３０に回動自在に取り付けられる。このように取り付けられた第１の筐体１０を反時計回りに回動させると、図１４に示すように、ボス１２がプッシュスイッチ３６’を押すことにより、プッシュスイッチ３６’がＯＮされる。第１の筐体１０を時計回りに回動させると、ボス１２がプッシュスイッチ３７’を押すことにより、プッシュスイッチ３７’がＯＮされる。これにより、単純な構造により所定の機能を達成することができる。
【０１３４】
＜第３の実施の形態＞
本発明に係る携帯機器の第１の実施の形態は、本発明をデジタルカメラ１に適用した場合であるが、本発明はデジタルカメラ以外でも実現可能である。
【０１３５】
本発明に係る携帯機器の第３の実施の形態は、本発明を携帯電話に適用した場合である。図１５、図１６は本発明に係る第３の実施の形態の携帯電話３の外観図であり、図１５は、第１の筐体５０、第２の筐体６０及び第３の筐体７０のシルエットが重ねあわされた第１の位置にある場合を示し、図１６は、第１の筐体６０、第２の筐体７０及び第３の筐体８０が第１の位置から平行に移動された第２の位置にある場合を示す。図１７は、携帯電話３の要部を分解した斜視図である。なお、第１の実施の形態と同一の部分については、同一の符号を付し、説明を省略する。
【０１３６】
携帯電話３は、主として、第１の筐体５０、第２の筐体６０及び第３の筐体７０とで構成される。図１５に示すように、第１の位置はモニタ２１、電源ボタン５３及びスピーカ１４５のみが露出された収納状態である。図１６に示すように、第２の位置は、モニタ２１、電源ボタン５３及びスピーカ１４５に加えてテンキー６２、通話ボタン６３等の操作部３５、マイク１４４が露出された使用状態であり、通話、メール等が可能である。
【０１３７】
第１の筐体５０は、略直方体の部材であり、前面には主としてモニタ２１、電源ボタン５３が配設される。第１の筐体１０の背面側には、第２の筐体６０に固着されたスティックスイッチ６１の先端部と嵌合する凹部５１、５２と、略矩形状の凹部５４とが配設される。
【０１３８】
第２の筐体６０は、第１の筐体１０とほぼ同じ大きさの略直方体の部材であり、前面には、主として、ボス２２、長穴２３、プッシュスイッチ２４、スティックスイッチ６１、テンキー６２、通話ボタン６３、長穴６４等が配設される。なお、長穴６４は、スティックスイッチ６１の左右方向の検出が可能な幅で形成される。
【０１３９】
第３の筐体７０は、第１の筐体５０及び第２の筐体６０より小さい略矩形の板状の部材であり、前面には、主としてプッシュスイッチ７３、７４が配設され、背面には、主としてボス３２、長穴３３が配設される。また、スティックスイッチ６１のスティック６１ａが貫通可能な略矩形状の孔７１、７２が配設される。
【０１４０】
スティックスイッチ６１は、棒状のスティック６１ａと、スティック６１ａの動きを検出するスイッチ部６１ｂとで構成され、スティック６１ａは時計回り及び反時計回りに回動が可能である。スティック６１ａの先端は、回転防止のために略Ｉ形状に形成される。また、スイッチ部６１ｂは、スティック６１ａの回動量及び回動方向を検出可能である。なお、スティック６１ａの先端の形状は、略Ｉ形状のみでなく、略Ｄ形状でもよい。
【０１４１】
第１の筐体５０、第２の筐体６０及び第３の筐体７０は、図示しないフレキシブルプリント基板により電気的に接続される。また、第１の筐体５０と第３の筐体６０とは、引っ張り力を付勢する４本のバネ４３により４箇所で連結される。なお、第１の筐体５０と第３の筐体７０との間には、図示しない規制機構が配設され、第１の筐体５０が第３の筐体７０に対して所定の角度以上回動しないように連結される。
［第１の位置及び第２の位置の間の移動について］
図１８は、第１の筐体５０、第２の筐体６０及び第３の筐体７０が第１の位置にある場合の断面図であり、図１９は、第１の筐体１０、第２の筐体２０及び第３の筐体３０が第１の位置から第２の位置に移動中の断面図であり、図２０は、第１の筐体５０、第２の筐体６０及び第３の筐体７０が第２の位置にある場合の断面図である。なお、第１の筐体５０及び第３の筐体７０と、第２の筐体６０とを移動可能に連結する連結機構の構成については、第１の実施の形態と同一であるため、説明を省略する。
【０１４２】
第１の位置においては、図１８に示すように、孔７１を貫通したスティック６１ａと、凹部５１とが嵌合し、これにより、第１の筐体５０、第２の筐体６０及び第３の筐体７０が第１の位置で固定される。
【０１４３】
第１の位置において、第１の筐体１０及び第３の筐体３０をバネ４１の付勢力に抗して左に移動させると、第１の筐体５０と第３の筐体７０とが一体となって、第２の筐体に対して平行移動を開始する。第１の筐体５０及び第３の筐体７０を更に移動させると、図１
９に示すように、スティック６１ａが穴６４の内部で倒れることにより、第２の筐体６０が第３の筐体７０の背面を平行移動可能となる。
【０１４４】
第１の筐体５０、第２の筐体６０及び第３の筐体７０が第２の位置にまで移動すると、図２０に示すように、スティック６１ａが中心位置に戻ると共に孔７２を貫通し、スティック６１ａと凹部５２とが嵌合する。これにより、第１の筐体５０及び第３の筐体７０は第２の位置で固定される。
【０１４５】
［第１の筐体５０の操作について］
第１の筐体５０は、第１の位置及び第２の位置においてスイング操作が可能である。以下、第２の位置を例に第１の筐体５０の操作方法について説明する。図２１、図２２は、第１の筐体５０をスイング操作した状態を示す透視図であり、（ａ）は第１の筐体５０を時計回りに回動させた場合を示し、（ｂ）は通常状態を示し、（ｃ）は第１の筐体５０を反時計回りに回動させた状態を示す。なお、図２１は第１の位置であり、図２２は第２の位置である。
【０１４６】
まず、第１の位置におけるスイング操作について説明する。図２１（ｂ）に示す通常状態においては、プッシュスイッチ７３、７４は共に凹部５４の下に位置しており、プッシュスイッチ７３、７４は共にＯＦＦしている。
【０１４７】
図２１（ｂ）に示す通常状態において、第１の筐体５０に時計回りの外力を加えると、図２１（ａ）に示すように、規制手段（図示せず）により回動が規制されるまで、第１の筐体５０が時計回りに回動される。第１の筐体５０の回動と共に、凹部５４が回動し、プッシュスイッチ７４がＯＦＦからＯＮに切り替わる。その後、第１の筐体５０に加えた時計回りの外力を除去すると、バネ４３の付勢力により第１の筐体５０は、図２１（ｂ）に示す通常状態に戻る。
【０１４８】
図２１（ｂ）に示す通常状態において、第１の筐体５０に反時計回りの外力を加えると、図２１（ｃ）に示すように、規制手段（図示せず）により回動が規制されるまで、第１の筐体５０が反時計回りに回動される。第１の筐体５０の回動と共に、凹部５４が回動し、プッシュスイッチ７３がＯＦＦからＯＮに切り替わる。その後、第１の筐体５０に加えた反時計回りの外力を除去すると、バネ４３の付勢力により第１の筐体５０は、図２１（ｂ）に示す通常状態に戻る。
【０１４９】
次に、第２の位置におけるスイング操作について説明する。図２２（ｂ）に示す通常状態においては、プッシュスイッチ７３、７４は共に凹部５４の下に位置しており、プッシュスイッチ７３、７４は共にＯＦＦしている。
【０１５０】
図２２（ｂ）に示す通常状態において、第１の筐体５０に時計回りの外力を加えると、図２２（ａ）に示すように、規制手段（図示せず）により回動が規制されるまで、第１の筐体５０が時計回りに回動される。第１の筐体５０の回動と共に、凹部５４が回動し、プッシュスイッチ７４がＯＦＦからＯＮに切り替わる。その後、第１の筐体５０に加えた時計回りの外力を除去すると、バネ４３の付勢力により第１の筐体５０は、図２２（ｂ）に示す通常状態に戻る。
【０１５１】
図２２（ｂ）に示す通常状態において、第１の筐体５０に反時計回りの外力を加えると、図２２（ｃ）に示すように、規制手段（図示せず）により回動が規制されるまで、第１の筐体５０が反時計回りに回動される。第１の筐体５０の回動と共に、凹部５４が回動し、プッシュスイッチ７３がＯＦＦからＯＮに切り替わる。その後、第１の筐体５０に加えた反時計回りの外力を除去すると、バネ４３の付勢力により第１の筐体５０は、図２２（ｂ）に示す通常状態に戻る。
【０１５２】
次に、本実施の形態の携帯電話３の作用について説明する。
【０１５３】
図３０は、上記携帯電話３の内部構成の実施の形態を示すブロック図である。なお、図２５のブロック図と共通する部分には同一の符号を付し、その詳細な説明は省略する。図２５に示すデジタルカメラ１のブロック図とは、電話機能部１４１と、プッシュスイッチ７３、７４を備えたところが異なる。
【０１５４】
電話機能部１４１は、電話信号を送受信するためのアンテナ１４２、電話通信を制御する無線通信処理部１４３、音声入力手段であるマイク１４４、音声出力手段であるスピーカ１４５、及びユーザが各種操作を行うためのテンキー１４６から構成される。
【０１５５】
プッシュスイッチ７３、７４は、前述のように、第１の筐体５０のスウィング操作を検出する。プッシュスイッチ７３、７４は、オン／オフに応じた信号を出力し、ＣＰＵ１１１はこの出力信号を検出することにより、第１の筐体５０がスウィング操作されたことを検出する。
【０１５６】
次に、図３１を用いて携帯電話３の動作について説明する。図３１は、携帯電話３のスウィング操作に伴う動作を示すフローチャートである。
【０１５７】
携帯電話３は、初期状態では待ち受け画面表示を行っている。ここで、プッシュスイッチ２４の状態を検出することにより、携帯電話３が第１の位置であるか、第２の位置であるかの判定を行う（ステップＳ２１）。プッシュスイッチ２４がオフされていると判断した場合、即ち第１の位置である判断すると、プッシュスイッチ７３、７４により、スウィング操作の検出を行う。
【０１５８】
第１の位置において、プッシュスイッチ７３がオフ、プッシュスイッチ７４がオンの場合、即ち時計回りのスウィング操作がされると（ステップＳ２２）、赤外線通信のモード切替えとなる。待ち受け画面表示状態において、時計回りのスウィング操作を行うと、赤外線送信モードに切替わる。赤外線送信モードにおいて時計回りのスウィング操作を行うと、赤外線受信モードに切替わる。さらに赤外線受信モードにおいて時計回りのスウィング操作を行うと、待ち受け画面表示に切替わる。
【０１５９】
第１の位置において、プッシュスイッチ７３がオン、プッシュスイッチ７４がオフの場合、即ち反時計回りのスウィング操作がされると（ステップＳ２６）、それぞれ赤外線通信による送信、受信の処理が開始される（ステップＳ２５）。この赤外線通信は、例えば待ち受け画面の画像データ等が送受信される。
【０１６０】
プッシュスイッチ２４がオンされていると判断した場合、即ち第２の位置である判断した場合も、さらにプッシュスイッチ７３、７４により、スウィング操作の検出を行う。
【０１６１】
第２の位置において、プッシュスイッチ７３がオフ、プッシュスイッチ７４がオンの場合、即ち時計回りのスウィング操作がされると（ステップＳ２６）、履歴表示の切替えとなる。待ち受け画面表示状態において、時計回りのスウィング操作を行うと、着信履歴表示状態に切替わる。着信履歴表示状態において、時計回りのスウィング操作を行うと、発信履歴表示状態に切替わる。さらに、発信履歴表示において時計回りのスウィング操作を行うと、待ち受け画面表示状態に切替わる。
【０１６２】
第２の位置において、プッシュスイッチ７３がオン、プッシュスイッチ７４がオフの場合、即ち反時計回りのスウィング操作がされると（ステップＳ２７）、表示されている履歴における、カーソル移動を行う。（ステップＳ２９）。着信履歴表示及び発信履歴表示においては、モニタ２１に同時に表示できる件数が限られているが、カーソル移動することにより、表示されていない新たな履歴表示を行うことができる。
【図面の簡単な説明】
【０１６３】
【図１】本発明に係る第１の実施の形態のデジタルカメラ１の第１の筐体１０、第２の筐体２０及び第３の筐体３０のシルエットが重ねあわされた第１の位置にある場合の外観図であり、（ａ）は正面図であり、（ｂ）は側面図であり、（ｃ）は背面図である。第１の筐体１０及び第３の筐体３０が第１の位置から平行に移動された第２の位置にある場合を示す。
【図２】上記デジタルカメラ１の第１の筐体１０、第２の筐体２０及び第３の筐体３０が第１の位置から平行に移動された第２の位置にある場合の外観図であり、（ａ）は正面図であり、（ｂ）は側面図であり、（ｃ）は背面図である。
【図３】上記デジタルカメラ１の要部を分解した斜視図である。
【図４】図４は、第１の筐体１０、第２の筐体２０及び第３の筐体３０が第１の位置にある場合の連結機構の様子を第１の筐体１０の前面側から透視した図である。
【図５】図５は、第１の筐体１０、第２の筐体２０及び第３の筐体３０が第２の位置にある場合の連結機構の様子を第１の筐体１０の前面側から透視した図である。
【図６】図６（ａ）は、第１の筐体１０の背面に形成された取り付け部１１にスティックスイッチ３１を取り付けた状態を示す断面図であり、（ｂ）は取り付け部１１の斜視図である。
【図７】図７（ａ）は、スティック３１ａが時計回りに回動された状態を示し、図７（ｂ）はスティック３１ａが反時計回りの回動された状態を示す図である。
【図８】図８は、本発明に係る第２の実施の形態のデジタルカメラ２の要部を分解した斜視図である。
【図９】図９は、第１の筐体１０と第３の筐体３０とが重ねあわされた通常状態を示す図である。
【図１０】図１０は、第１の筐体１０を通常状態から時計回りに回動させた状態を示す図である。
【図１１】図１１は第１の筐体を通常状態から反時計回りに回動させた状態を示す図である。
【図１２】図１２は、第１の実施の形態において、プッシュスイッチ３６、３７を配設しない変形例を示す図である。
【図１３】図１３は、連結機構を示す図である。
【図１４】図１４は、図１３に示す第１の筐体１０を反時計回りに回動させた様子を示す図である。
【図１５】図１５は、第１の筐体５０、第２の筐体６０及び第３の筐体７０のシルエットが重ねあわされた第１の位置にある場合を示した図である。
【図１６】図１６は、第１の筐体６０、第２の筐体７０及び第３の筐体８０が第１の位置から平行に移動された第２の位置にある場合を示す図である。
【図１７】図１７は、携帯電話３の要部を分解した斜視図である。
【図１８】図１８は、第１の筐体５０、第２の筐体６０及び第３の筐体７０が第１の位置にある場合の断面図である。
【図１９】図１９は、第１の筐体１０、第２の筐体２０及び第３の筐体３０が第１の位置から第２の位置に移動中の断面図である。
【図２０】図２０は、第１の筐体５０、第２の筐体６０及び第３の筐体７０が第２の位置にある場合の断面図である。
【図２１】図２１は、第１の筐体５０をスウィング操作した状態を示す透視図である。
【図２２】図２２は、第１の筐体５０をスウィング操作した状態を示す透視図である。
【図２３】図２３は、第１の筐体１０を前面から見て斜め左下方向に平行移動する例を示す外観図である。
【図２４】図２４は、第１の筐体１０を前面から見て下方向に平行移動する例を示す外観図である。
【図２５】図２５は、上記デジタルカメラ１の内部構成の実施の形態を示すブロック図である。
【図２６】図２６は、デジタルカメラ１の動作について示したフローチャートである。
【図２７】図２７は、スティックスイッチ３１をボリュームスイッチとし、回動角度に応じた電流量を出力させる回路図の一例を示す図である。
【図２８】図２８は、スウィング角度と電流量の関係を示した図である。
【図２９】図２９は、デジタルカメラ１の内部構成の実施の形態を示すブロック図である。
【図３０】図３０は、携帯電話３の内部構成の実施の形態を示すブロック図である。
【図３１】図３１は、携帯電話３のスウィング操作に伴う動作を示すフローチャートである。
【図３２】図３２は、デジタルカメラ１を、第１の位置において背面から見て反時計回りにスウィング操作した様子を示す外観図である。
【符号の説明】
【０１６４】
１…デジタルカメラ、１０…第１の筐体、１１…取り付け部、２０…第２の筐体、２１…モニタ、２２…ボス、２３…長穴、２４、３６、３７、７３、７４…プッシュスイッチ、２５…レンズ、３０…第３の筐体、３１、６１…スティックスイッチ、３２…ボス、３３…長穴、３５…ボリュームコントロールスイッチ、４１…バネ、５３…電源ボタン、１０８…顔検出回路、１１０…手振れ補正レンズ、１１１…ＣＰＵ、１１２…モード切替えスイッチ、１１９…画像入力コントローラ、１２２…表示回路、１２８…ＡＥ／ＡＦ検出回路、１２９…ストロボ、１３０…赤外線通信回路、１３１…受光部、１３２…発光部、１４１…電話機能部
【図１】
2009111878.tif 000003
【図２】
2009111878.tif 000004
【図３】
2009111878.tif 000005
【図４】
2009111878.tif 000006
【図５】
2009111878.tif 000007
【図６】
2009111878.tif 000008
【図７】
2009111878.tif 000009
【図８】
2009111878.tif 000010
【図９】
2009111878.tif 000011
【図１０】
2009111878.tif 000012
【図１１】
2009111878.tif 000013
【図１２】
2009111878.tif 000014
【図１３】
2009111878.tif 000015
【図１４】
2009111878.tif 000016
【図１５】
2009111878.tif 000017
【図１６】
2009111878.tif 000018
【図１７】
2009111878.tif 000019
【図１８】
2009111878.tif 000020
【図１９】
2009111878.tif 000021
【図２０】
2009111878.tif 000022
【図２１】
2009111878.tif 000023
【図２２】
2009111878.tif 000024
【図２３】
2009111878.tif 000025
【図２４】
2009111878.tif 000026
【図２５】
2009111878.tif 000027
【図２６】
2009111878.tif 000028
【図２７】
2009111878.tif 000029
【図２８】
2009111878.tif 000030
【図２９】
2009111878.tif 000031
【図３０】
2009111878.tif 000032
【図３１】
2009111878.tif 000033
【図３２】
2009111878.tif 000034